(57)【要約】【課題】大きな力を必要とすることなく容易にドレンパンの残留ドレンを排水することができるドレンパン及びこのドレンパンを備えた空調機用室内機を提供する。【解決手段】本発明は、空調機用室内機１０の熱交換器１３から滴下するドレンをその下側で受けるドレンパン３０であって、ドレンを受けて貯留するドレン受け部３１と、このドレン受け部３１に貯留した前記ドレンの少なくとも一部を下側へ排水する排水通路３５と、この排水通路３５に取り付けられる逆止弁５０と、を備え、逆止弁５０は弁体５１を有し、この弁体５１は、ドレン受け部３１に貯留したドレンによって押圧されることで水密性を向上させる一方、上側へ押圧されることで開口することを特徴とする。【選択図】図５
2009019794.tif 000002
【特許請求の範囲】
【請求項１】
空調機用室内機の熱交換器から滴下するドレンをその下側で受けるドレンパンであって、
前記ドレンを受けて貯留するドレン受け部と、
このドレン受け部に貯留した前記ドレンの少なくとも一部を下側へ排水する排水通路と、
この排水通路に取り付けられる逆止弁と、を備え、
前記逆止弁は弁体を有し、この弁体は、前記ドレン受け部に貯留したドレンによって押圧されることで水密性を向上させる一方、上側へ押圧されることで開口することを特徴とするドレンパン。
【請求項２】
前記弁体は、上側に向かうに従って互いに近づく複数の片で構成され、これら複数の片が上側へ押圧されることで開口することを特徴とする請求項１に記載のドレンパン。
【請求項３】
前記弁体は弾性部材で形成され、上側へ押圧されることで弾性変形して開口することを特徴とする請求項２に記載のドレンパン。
【請求項４】
前記複数の片は一対の片で構成され、この一対の片の対応する側部同士を互いに接続して弁体を形成することを特徴とする請求項３に記載のドレンパン。
【請求項５】
上下方向に貫通する貫通孔を具備する逆止弁本体部が前記弁体の下側に設けられ、
この逆止弁本体部は、前記弁体開口時に前記ドレン受け部に貯留したドレンを前記貫通孔を通じて下側へ排水し、
前記逆止弁は、前記逆止弁本体部を前記排水通路に圧入することで取り付けられることを特徴とする請求項１乃至４のいずれか１項に記載のドレンパン。
【請求項６】
前記排水通路は雌ネジを螺刻され、
上下方向に貫通する貫通孔を具備する逆止弁本体部が前記弁体の下側に設けられ、
この逆止弁本体部は、前記弁体開口時に前記ドレン受け部に貯留したドレンを前記貫通孔を通じて下側へ排水する一方、前記排水通路の雌ネジと螺合する雄ネジを外周面に螺刻され、
前記逆止弁は、前記逆止弁本体部を前記排水通路に螺入することで取り外し可能に取り付けられることを特徴とする請求項１乃至４のいずれか１項に記載のドレンパン。
【請求項７】
前記弁体と逆止弁本体部とが一体であることを特徴とする請求項５又は６に記載のドレンパン。
【請求項８】
弁体を押上げて開口させる弁体押し上げ部材と、この弁体押し上げ部材を保持する保持部材と、をさらに備え、
前記押し上げ部材は、前記逆止弁本体部の貫通孔内でその中心軸方向に沿って伸び、且つ中空筒状若しくは前記貫通孔の径よりも小さな径の中実棒状に形成され、その下端には前記貫通孔よりも大きな突き上げ部を有し、
前記保持部材は、前記押し上げ部材を前記貫通孔内で上下方向へ移動可能に保持することを特徴とする請求項５乃至７のいずれか１項に記載のドレンパン。
【請求項９】
前記ドレン受け部の底の少なくとも一部が下方に向かって傾斜し、その最下部に前記排水通路の上端が位置することを特徴とする請求項１乃至８のいずれか１項に記載のドレンパン。
【請求項１０】
熱交換器と、請求項１乃至９のいずれか１項に記載のドレンパンと、を備えることを特徴とする空調機用室内機。
【発明の詳細な説明】
【技術分野】
【０００１】
本発明は、熱交換器から滴下するドレンをその下側で受けるドレンパン、及びこのドレンパンを備える空調機用室内機に関する。
【背景技術】
【０００２】
従来から、天井埋込型又は天井吊下げ型の空調機用室内機は、内部に設けられた熱交換器により凝結したドレンが当該熱交換器から滴下し、このドレンを熱交換器の下側に配置されるドレンパンで受け、このドレンパンに溜まったドレンをドレンポンプにより外部へ排水する構成が一般的である。
【０００３】
具体的には、図１２に示すような埋込型空調機用室内機１１０は、空調機用室内機本体（ケーシング）１１１と、その下端に配置され、下面中央部に吸入口が形成されると共にその周囲に吹出し口が形成された化粧パネル１２０とで構成されている。ケーシング１１１の内部には、空調室内の空気を吸排気するための送風機１１２と、この送風機１１２によって吸気した空調室内の空気を冷却又は加温するための熱交換器１１３と、この熱交換器１１３の下側に配置され、当該熱交換器１１３から滴下するドレンを受けるドレンパン１３０と、このドレンパン１３０に溜まったドレンを外部に排出するドレンポンプ１１４とが配置されている。
【０００４】
ドレンパン１３０は、熱交換器１１３からのドレンを受けて所定量溜めることができるドレン受け部１３１と、ドレンポンプ１１４で排水するため、溜まったドレンが集まるようにドレン受け部１３１の一部に設けられた集水部１３４と、この集水部１３４の最深部に下方へ向けて真っ直ぐに穿設された排水孔１３５と、この排水孔１３５に圧入して封止するドレンキャップ１５０とを備える。
【０００５】
このドレンキャップ１５０は、円柱状に形成された本体部１５２と、その下端に径方向に延設された鍔部１５５とで構成されている。このドレンキャップ１５０は、本体部１５２をドレンパン１３０の排水孔１３５に下方から圧入することで当該排水孔１３５を封止する（特許文献１参照）。
【０００６】
このように構成される空調機用室内機１１０は、運転時に熱交換器１１３で発生したドレンをドレンパン１３０で受けて集水し、ドレンが所定の水位に達した際にドレンポンプ１１４によって汲みだされて外部に排水される。このとき、集水部１３４の最深部にはドレンポンプ１１４で汲み取れないドレン（残留ドレン）が僅かに残留する。この残留ドレンが溜まっている状態で長期間経過すると、カビの繁殖や残留ドレンの腐敗等が発生する場合がある。そのため、ドレンパン１３０に溜まった残留ドレンを全て排水するために排水孔１３５を封止しているドレンキャップ１５０を引き抜き、前記残留ドレンを排水する。
【特許文献１】実開平７−１８１２８号公報
【発明の開示】
【発明が解決しようとする課題】
【０００７】
ところで、上記空調機用室内機１１０は、天井埋込型であるため天井にケーシング１１１が埋め込まれた状態で設置される。そのため、上述のようにドレンキャップ１５０を引き抜き、残留ドレンを排水する作業や、残留ドレンの排水が完了して再びドレンキャップ１５０で排水孔１３５を封止する作業は、作業者が脚立等に乗った不安定な姿勢での高所作業となる。しかも、ゴム製のドレンキャップ１５０は、排水孔１３５を水漏れしないように確実に封止するために、排水孔１３５からの引き抜き、及び排水孔１３５への圧入には大きな力を必要とする。そのため、高所でのドレンキャップ１５０の引き抜き作業や圧入作業の際に作業者には負担となる。
【０００８】
そこで、本発明は、上記問題点に鑑み、大きな力を必要とすることなく容易にドレンパンの残留ドレンを排水することができるドレンパン及びこのドレンパンを備えた空調機用室内機を提供することを課題とする。
【課題を解決するための手段】
【０００９】
そこで、上記課題を解消すべく、本発明に係るドレンパンは、空調機用室内機の熱交換器から滴下するドレンをその下側で受けるドレンパンであって、前記ドレンを受けて貯留するドレン受け部と、このドレン受け部に貯留した前記ドレンの少なくとも一部を下側へ排水する排水通路と、この排水通路に取り付けられる逆止弁と、を備え、前記逆止弁は弁体を有し、この弁体は、前記ドレン受け部に貯留したドレンによって押圧されることで水密性を向上させる一方、上側へ押圧されることで開口することを特徴とする。
【００１０】
かかる構成によれば、ドレン受け部に貯留したドレンによって弁体が押圧されて弁体の水密性が向上する。そのため、弁体からのドレン漏れを防止できる。
【００１１】
また、弁体を押し上げるだけで排水通路を通じて残留ドレンを容易に排水することができる。そのため、残留ドレンをドレンパンから排水又は封止する際に、従来のドレンパンでの残留ドレンの排水のような、ドレン受け部の排水孔等に圧入されたドレンキャップを引き抜き、又は前記排水孔等へドレンキャップを圧入するような大きな力を必要としない。
【００１２】
本発明に係るドレンパンにおいては、前記弁体は、上側に向かうに従って互いに近づく複数の片で構成され、これら複数の片が上側へ押圧されることで開口する構成であってもよい。
【００１３】
かかる構成によれば、簡単な構成の逆止弁とすることができる。そのため、メンテナンス製の向上や製造コストの削減等が可能となる。
【００１４】
しかも、複数の片が上側へ向かうに従って互いに近づく構成であるため、これら各片に下側への力が加わると、互いに近づく方向への力が加わり、各片同士がより密着して水密性が向上する。
【００１５】
また、前記弁体は弾性部材で形成され、上側へ押圧されることで弾性変形して開口する構成であってもよい。
【００１６】
かかる構成によれば、弁体が弾性部材で形成されているため、弁体の開口及び閉口のための構造がヒンジ等を用いない簡単な構造でありながら、下から押圧すると弾性変形して開口し、この下からの押圧がなくなると元の形状に戻る。そのため、残留ドレンを排水する際に弁体を上側へ押圧するだけで容易に開口状態にでき、さらに、残留ドレンを排水後、弁体に対する下からの押圧を止めるだけで弁体を確実に閉口状態にすることができる。
【００１７】
また、前記複数の片は一対の片で構成され、この一対の片の対応する側部同士を互いに接続して弁体を形成する構成であってもよい。
【００１８】
かかる構成によれば、より簡単な構成の逆止弁とすることができる。そのため、メンテナンス製の向上、製造コストの削減等が可能となる。
【００１９】
また、上下方向に貫通する貫通孔を具備する逆止弁本体部が前記弁体の下側に設けられ、この逆止弁本体部は、前記弁体開口時に前記ドレン受け部に貯留したドレンを前記貫通孔を通じて下側へ排水し、前記逆止弁は、前記逆止弁本体部を前記排水通路に圧入することで取り付けられる構成であってもよい。
【００２０】
かかる構成によれば、逆止弁本体部を排水通路に圧入するだけで逆止弁をドレンパンに容易に取り付けることができる。さらに、簡易な構成でありながら、逆止弁本体部で排水通路への密着力を確保しつつ弁体を開口及び閉口可能に構成できる。そのため、ドレンパンの製造時間、即ち、逆止弁の取り付け作業の短時間化、及びドレンパンの製造コストの削減を図ることができる。
【００２１】
また、残留ドレンの排水の際に、逆止弁本体部を排水通路から取り外す必要がなく、弁体を押し上げるだけで貫通孔を通じて容易に排水することができる。
【００２２】
また、前記排水通路は雌ネジを螺刻され、上下方向に貫通する貫通孔を具備する逆止弁本体部が前記弁体の下側に設けられ、この逆止弁本体部は、前記弁体開口時に前記ドレン受け部に貯留したドレンを前記貫通孔を通じて下側へ排水する一方、前記排水通路の雌ネジと螺合する雄ネジを外周面に螺刻され、前記逆止弁は、前記逆止弁本体部を前記排水通路に螺入することで取り外し可能に取り付けられる構成であってもよい。
【００２３】
かかる構成によれば、逆止弁本体部を排水通路に螺入するだけで逆止弁をドレンパンに容易に取り付けることができる。そのため、前記同様、ドレンパンの製造時間の短縮化及び製造コストの削減を図ることができる。
【００２４】
また、残留ドレンの排水の際に、逆止弁本体部を排水通路から取り外す必要がなく、弁体を押し上げるだけで貫通孔を通じて容易に排水することができる。
【００２５】
しかも、逆止弁本体部は、排水通路に螺入されているだけであるため、容易に排水通路から取り外すこともでき、簡単に交換することができる。そのため、メンテナンス性の向上を図ることができる。
【００２６】
また、前記弁体と逆止弁本体部とが一体であってもよい。
【００２７】
かかる構成によれば、弁体と逆止弁本体との間のドレン漏れを防止できる。また、前記弁体と逆止弁本体部とで構成される逆止弁全体の強度を保ち易くなる。さらに、前記弁体と逆止弁本体部とが一体であるため、製造時において、双方を接続する工程を減らすことができ、且つ一体成形することで製造コストの削減を図ることもできる。
【００２８】
また、弁体を押上げて開口させる弁体押し上げ部材と、この弁体押し上げ部材を保持する保持部材と、をさらに備え、前記押し上げ部材は、前記逆止弁本体部の貫通孔内でその中心軸方向に沿って伸び、且つ中空筒状若しくは前記貫通孔の径よりも小さな径の中実棒状に形成され、その下端には前記貫通孔よりも大きな突き上げ部を有し、前記保持部材は、前記押し上げ部材を前記貫通孔内で上下方向へ移動可能に保持する構成であってもよい。
【００２９】
かかる構成によれば、他に道具を必要とすることなく容易に弁体を押し上げることができ、より容易に残留ドレンの排水が可能となる。また、押し上げ部材は、その下端に貫通孔よりも大きな面積を有する突き上げ部を有している。そのため、ドレンパンが天井ように作業者から離れた位置に設けられたとしても押し上げ部材が押し易くなる。
【００３０】
また、前記ドレン受け部の底の少なくとも一部が下方に向かって傾斜し、その最下部に前記排水通路の上端が位置する構成であってもよい。
【００３１】
かかる構成によれば、残留ドレンの量が少なくても排水通路上端に残留ドレンが集水されるため、残ることなく残留ドレンが排水される。また、排水通路上端に集水されたドレンによって、弁体がその重みで下側に押さえられる。そのため、前記同様、より水密性が向上し、より水漏れし難くなる。
【００３２】
また、上記課題を解消すべく、本発明に係る空調機用室内機は、熱交換器と、上記のいずれかのドレンパンと、を備えることを特徴とする。
【００３３】
かかる構成によれば、残留ドレンを容易に排水することができ、空調機用室内機のメンテナンス性の向上を図ることができる。
【発明の効果】
【００３４】
以上より、本発明によれば、大きな力を必要とすることなく容易にドレンパンの残留ドレンを排水することができるドレンパン及びこのドレンパンを備えた空調機用室内機を提供することができるようになる。
【発明を実施するための最良の形態】
【００３５】
以下、本発明の一実施形態について、添付図面を参照しつつ説明する。
【００３６】
図１乃至図３に示されるように、本実施形態に係る空調機用室内機１０は、天井埋込型の空調機用室内機１０であり、内部に各種構成機器を収納するケーシング１１と、このケーシング１１の下端に配置された化粧パネル２０とを備えている。
【００３７】
具体的には、ケーシング１１は下方が開口した箱状体に形成されており、その内部には、空調室内の空気を吸排気する送風機１２と、この送風機１２によって吸気した空調室内の空気を冷却又は加温するための熱交換器１３と、この熱交換器１３の下側に配置され、当該熱交換器１３から滴下するドレンを受けるドレンパン３０と、このドレンパン３０に溜まったドレンを外部に排出するドレンポンプ１４とが配置されている。
【００３８】
化粧パネル２０は、平面視が略四角形状の板状体であり、その中央部に空調室内の空気を吸入するための吸入口２１が形成されると共にその周囲に空気を吹き出すための吹出し口２２が形成されている。
【００３９】
吸入口２１は、略正方形状の開口である。この吸入口２１には、吸入グリル２３と、吸入口２１から吸入された空気中の塵埃を除去するためのフィルタ２４とが設けられている。吹出し口２２は、矩形状の開口であり、化粧パネル２０の各辺に対応するように４箇所に形成されている。この吹出し口２２には、空調室内に向かって吹き出される空気の風向を可変することができる水平フラップ２５が配設されている。
【００４０】
送風機１２は、化粧パネル２０の吸入口２１を通じて空調室内の空気をケーシング１１内に吸入して外周方向に吹き出すものである。この送風機１２は、ケーシング１１の天板の中央に設けられるファンモータ１２ａと、ファンモータ１２ａに連結されて回転駆動される羽根車１２ｂと、で構成されたシロッコファンである。
【００４１】
熱交換器１３は、送風機１２の外周を四方から囲むように配置されたフィンチューブ型の熱交換パネルである。この熱交換器１３は、冷房運転時には蒸発器として、暖房運転時には凝縮器として機能できるようになっている。これにより、熱交換器１３は、送風機１２によって吸入口２１を通じてケーシング１１内に吸入された空気と熱交換を行って、冷房運転時には空気を冷却し、暖房運転時には空気を加熱することが可能となる。
【００４２】
ドレンポンプ１４は、ドレンパン３０に溜まったドレンが集まる集水部３４からドレンを汲み取ってケーシング１１の外部へ排水するためのポンプである（図４参照）。尚、集水部３４については後述する。
【００４３】
ドレンパン３０は、熱交換器１３において空気中の水分が凝縮されて当該熱交換器１３から滴下するドレンを受けるために熱交換器１３の下側、即ち、ケーシング１１の下端部に配置されるものである。このドレンパン３０は合成樹脂製で、図４にも示すように、熱交換器１３の下側に形成され、ドレンを受けて所定量溜めることができるドレン受け部３１と、化粧パネル２０の吸入口２１に連通するように形成された吸入口３２と、化粧パネル２０の吹出し口２２に対応するように形成され、熱交換器１３において熱交換された空気が通過するための吹出し口３３とを有する。
【００４４】
ドレン受け部３１は、吸入口３２を囲むように形成された溝状凹部で、その一部に当該ドレン受け部３１に溜まったドレンが集まる集水部３４を具備する。即ち、ドレン受け部３１の底が集水部３４に向かって緩やかに下方へ傾斜するように形成されることで、ドレン受け部３１に溜まったドレンが集水部３４に集まるように構成されている。この集水部３４における底の最深部には、下方へ向けて排水通路３５が穿設されている。より詳細には、図５にも示すように、集水部３４（ドレン受け部３１）の底の一部３６が下方に向かってさらに傾斜し、その最下部に排水通路３５の上端が位置するように排水通路３５が形成されている。
【００４５】
この排水通路３５は、下方へ向けて穿設された真っ直ぐな貫通孔で、ドレンポンプ１４で汲み出せなかったドレン（残留ドレン）を排水することができる。この排水通路３５には、逆止弁付ドレンキャップ（以下、単に「逆止弁」と称する。）５０が圧入され、通常は当該排水通路３５からドレンが下方に漏れないように水封されている。
【００４６】
逆止弁５０は、図６にも示すように、弁体５１と、この弁体５１の下側に設けられる逆止弁本体部５２と、を有する。本実施形態においては、逆止弁５０は、ゴムによって一体成形されている。尚、逆止弁５０においては、少なくとも弁体５１がゴム以外の弾性変形可能な樹脂等で形成されていればよく、また、弁体５１と逆止弁本体部５２とが別体として形成され、分離可能又は不可能に接続されたものでもよい。
【００４７】
弁体５１は、上側（逆止弁本体部５２から離れる側）に向かうに従って互いに近づく複数の片５３，５３，…で構成されている。そして、複数の片５３，５３，…の先端は、互いに密着している。また、これら複数の片５３，５３，…は、上側に押圧されることで開口するように構成されている。この弁体５１は、弾性部材で形成され、上側へ押圧されることで弾性変形して開口する。詳細には、弁体５１は、ゴムで形成された一対の片５３，５３が上側へ向かうに従って互いに近づくように配置され、この一対の片５３，５３の対応する側部同士を互いに接続している（図６（ｂ）及び（ｃ）参照）。弁体５１がこのように構成されることで、通常では、当該弁体５１の上側に存在するドレン（液体）を下側に通すことがなく、また、上側にドレンが溜まると、その重みで一対の片５３，５３の先端部が互いに接近する方向に力が加わわり、前記先端部がより密着して水密性が向上する。
【００４８】
逆止弁本体部５２は、中空筒状に形成されている。この逆止弁本体部５２の貫通孔５４は、中心軸方向に沿って上下方向に貫通している。また、その下端部には径方向外側に向かって延びるフランジ部５５が設けられている。
【００４９】
このように形成された逆止弁５０は、ドレンパン３０の排水通路３５に下側から圧入されている。逆止弁本体部５２の外径は、排水通路３５の内径よりも僅かに大きくなるように設定されている。そのため、この逆止弁本体部５２が排水通路３５内に圧入されることで、排水通路３５の内面と逆止弁本体部５２の外面とが密着して、排水通路３５に逆止弁５０が強固に保持される。
【００５０】
本実施形態に係る空調機用室内機１０は、以上の構成からなり、次に、この空調機用室内機１０の動作について説明する。
【００５１】
空調機用室内機１０のファンモータ１２ａが駆動されて、送風機１２のシロッコファン１２ｂが回転する。また、ファンモータ１２ａの駆動と共に、熱交換器１３内には、室外ユニット（図示せず）から冷媒が供給される。ここで、前述のように、熱交換器１３は、冷房運転時には蒸発器として、暖房運転時には凝縮器として作用する。そして、シロッコファン１２ｂの回転に伴って、空調室内の空気が化粧パネル２０の吸入口２１を通じて送風機１２の下側から吸入される。この吸入された空気は、シロッコファン１２ｂによって外周側に吹き出されて熱交換器１３に到達し、当該熱交換器１３において冷却又は加熱された後、ドレンパン３０の吹出し口３３及び化粧パネル２０の吹出し口２２を通じて空調室内に向かって吹き出される。このようにして、空調室内の冷房又は暖房が行われる。
【００５２】
ところで、冷房運転時においては、ケーシング１１内に吸入された空調室内の空気が熱交換器１３において冷却される際、この空気中に含まれる水分が凝縮することによってドレンが発生する。このドレンが熱交換器１３からドレンパン３０のドレン受け部３１に滴下し、このドレン受け部３１にドレンが溜まる。そして、ドレン受け部３１に所定量溜まったドレンは、ドレンポンプ１４によってドレン受け部３１の集水部３４から汲み出され、ケーシング１１の外部に排水される。
【００５３】
このとき、ドレン受け部３１に溜まったドレンを全てドレンポンプ１４によって汲み出すことができないため、ドレンの一部が残留ドレンとしてドレン受け部３１（集水部３４）に残った状態となる。この残留ドレンが溜まっている状態で長期間経過すると、カビの繁殖や残留ドレンの腐敗等が発生する場合がある。そのため、冷房運転を長期間行わない場合には、使用者や業者等によってドレンパン３０に溜まった残留ドレンを全て排水するための作業を行うことになる。
【００５４】
次に、この残留ドレンの排水作業について図７も参照しつつ説明する。
【００５５】
まず、空調機用室内機１０の化粧パネル２０が取り外され、ドレンパン３０の底面が露出した状態とする（図３参照）。このとき、ドレンパン３０の下面には、逆止弁５０（逆止弁本体部５２）の下端部が露出している。そして、逆止弁本体部５２の貫通孔５４に、この貫通孔５４より径が小さい中実の棒状体又は前記貫通孔５４よりもわずかに径が小さい中空筒状体等の押し上げ棒材ｂを挿入する。そうすると、この押し上げ棒材ｂの先端が弁体５１の内面側に当接する（図７（ａ）参照）。この状態でさらに押し上げ棒材ｂを押し上げると、弁体５１を構成する片５３が弾性変形して開口する（図７（ｂ）参照）。そうすると、残留ドレンが棒状体ｂと貫通孔５４との間隙を通って、又は筒状体ｂの内部を通って排水される。このとき、逆止弁５０が圧入・取り付けされている排水通路３５は、ドレン受け部３１に溜まったドレンが集まる集水部３４の最下部にその上端が位置しているため、ドレン受け部３１に溜まったドレン若しくは残留ドレンをほぼ全て排水することができる。尚、この排水作業においては、長尺な押し上げ棒材ｂを用いることで、作業者は、床に立った状態で、天井に設けられた空調機用室内機１０の排水作業を行うことができる。
【００５６】
このようにして残留ドレン等を排水した後、押し上げ棒材ｂを引き抜くことで、弾性変形していた弁体５１が元の形状に戻り、閉口する。その後、化粧パネル２０を取り付けることで、排水作業は終了する。
【００５７】
以上のように、前記逆止弁５０が取り付けられたドレンパン３０を備える空調機用室内機１０を用いることで、前記排水作業において、大きな力を必要とすることなく容易にドレンパンの残留ドレンを排水することができる。
【００５８】
次に、本実施形態に係る空調機用室内機１０の作用及び効果を説明する。
【００５９】
本実施形態に係る空調機用室内機１０のドレンパン３０に設けられた逆止弁５０は弁体５１を有し、この弁体５１は、ドレン受け部３１に貯留したドレンによって押圧されることで水密性を向上させる一方、上側へ押圧されることで開口する。そのため、ドレン受け部３１に貯留したドレンによって弁体５１が押圧されて弁体５１の水密性が向上し、当該弁体５１からのドレン漏れを防止できる。
【００６０】
また、弁体５１を押し上げるだけで貫通孔５４（排水通路３５）を通じて残留ドレンを容易に排水することができる。そのため、残留ドレンをドレンパン３０から排水又は封止する際に、従来のドレンパンでの残留ドレンの排水のような、ドレン受け部の排水孔等に圧入されたドレンキャップを引き抜き、又は前記排水孔等へドレンキャップを圧入するような大きな力を必要としない。その結果、残留ドレンの排水作業において、高所でのドレンキャップの引き抜き作業や圧入作業を行う必要がなく、作業者の負担が解消される。
【００６１】
また、弁体５１はゴム（弾性部材）で形成され、上側へ押圧されることで弾性変形して開口する。そのため、弁体５１の開口及び閉口のための構造がヒンジ等を用いない簡単な構造でありながら、下から棒等で押圧すると弾性変形して開口し、この下からの押圧がなくなると元の形状に戻る。従って、残留ドレンを排水する際に弁体５１を上側へ押圧する（棒等で押し上げる）だけで容易に開口状態にでき、さらに、残留ドレンを排水後、弁体５１に対する下からの押圧を止める（前記棒等を引き抜く）だけで弁体５１を確実に閉口状態にすることができる。
【００６２】
また、弁体５１は一対の片５３，５３で構成され、この一対の片５３，５３の対応する側部同士を互いに接続して弁体５１を形成するため、簡単な構成の逆止弁５０とすることができる。そのため、メンテナンス製の向上、製造コストの削減等が可能となる。
【００６３】
また、貫通孔５４を具備する逆止弁本体部５２が弁体５１の下側に設けられ、この逆止弁本体部５２は、弁体５１開口時に集水部３４（ドレン受け部３１）に貯留したドレンを貫通孔５４を通じて下側へ排水し、逆止弁５０は、逆止弁本体部５２を排水通路３５に圧入することで取り付けられる。そのため、逆止弁本体部５２を排水通路３５に圧入するだけで逆止弁５０をドレンパン３０に容易に取り付けることができる。さらに、簡易な構成でありながら、逆止弁本体部５２で排水通路３５への密着力を確保しつつ弁体５１を開口及び閉口可能に構成できる。その結果、ドレンパン３０の製造時間、即ち、逆止弁５０の取り付け作業の短時間化、及びドレンパン３０の製造コストの削減を図ることができる。
【００６４】
しかも残留ドレンの排水の際に、逆止弁本体部５２を排水通路３５から取り外す必要がなく、弁体５１を押し上げるだけで貫通孔５４を通じて容易に残留ドレンを排水することができる。従って、より強固に逆止弁本体部５２を排水通路３５内に固着させるために、接着剤等を用いて接着等を行ってもよい。
【００６５】
また、逆止弁５０は、弁体５１と逆止弁本体部５２とが一体であるため、弁体５１と逆止弁本体５２との間のドレン漏れを防止できる。また、弁体５１と逆止弁本体部５２とで構成される逆止弁５０全体の強度を保ち易くなる。さらに、弁体５１と逆止弁本体部５２とが一体であるため、製造時において、双方を接続する工程を減らすことができ、且つ一体成形することで製造コストの削減を図ることもできる。
【００６６】
また、ドレン受け部３１の底の少なくとも一部３６が下方に向かって傾斜し、その最下部に排水通路３５の上端が位置する。そのため、残留ドレンの量が少なくても排水通路３５上端に残留ドレンが集水されるため、残ることなく残留ドレンが排水される。また、排水通路３５上端に集水されたドレンによって、弁体５１がその重みで下側に押さえられる。そのため、前記同様、より水密性が向上し、より水漏れし難くなる。
【００６７】
このようなドレンパン３０を空調機用室内機１０が備えることで、残留ドレンを容易に排水することができ、空調機用室内機１０のメンテナンス性の向上を図ることができる。
【００６８】
尚、本発明のドレンパン及びこのドレンパンを備えた空調機用室内機は、上記実施形態に限定されるものではなく、本発明の要旨を逸脱しない範囲内において種々変更を加え得ることは勿論である。
【００６９】
例えば、上記実施形態においては、弁体５１は、一対の片５３，５３によって形成されているが、これに限定される必要はなく、図８に示すような４枚の片５３ａ，５３ａ，５３ａ，５３ａで構成されてもよい。即ち、上側に向かうに従って互いに近づく３枚以上の片５３，５３，…で構成され、これら３枚以上の片５３，５３，…が上側へ押圧されることで開口するように構成されればよい。
【００７０】
このように構成されることで、簡単な構成の逆止弁５０ａとすることができる。そのため、メンテナンス製の向上や製造コストの削減等が可能となる。しかも、複数の片が上側へ向かうに従って互いに近づく構成であるため、これら各片に下側への力が加わると、互いに近づく方向への力が加わり、各片同士がより密着して水密性が向上する。
【００７１】
また、上記実施形態においては、逆止弁本体部５２が中空筒状に形成され、排水通路３５に圧入・固定されることで逆止弁５０がドレンパン３０に取り付けられているが、これに限定される必要はなく、逆止弁５０が取り外し自在に取り付けられていてもよい。具体的には、図９に示すように、排水通路３５ｂは雌ネジを螺刻される。そして、逆止弁本体部５２ｂは、上下方向に貫通する貫通孔５４ｂを具備し、弁体５１ｂの下側に設けられる。そのため、この逆止弁本体部５２ｂは、弁体５１ｂ開口時にドレン受け部３１に貯留したドレンを貫通孔５４ｂを通じて下側へ排水することができる。また、逆止弁本体部５２は、排水通路３５ｂの雌ネジと螺合する雄ネジを外周面に螺刻されている。そのため、逆止弁５０ｂは、逆止弁本体部５２ｂを排水通路３５ｂに螺入することで取り外し可能に取り付けられる。即ち、排水通路３５ｂ内面と逆止弁本体部５２ｂの外面とに対応する雌ネジと雄ネジとをそれぞれ設け、取り外し自在に逆止弁５０ｂをドレンパン３０に取り付けるようにしてもよい。
【００７２】
このように構成されることで、逆止弁本体部５２ｂを排水通路３５ｂに螺入するだけで逆止弁５０ｂをドレンパン３０に容易に取り付けることができる。そのため、ドレンパン３０の製造時間の短縮化及び製造コストの削減を図ることができる。また、残留ドレンの排水の際に、逆止弁本体部５２ｂを排水通路３５ｂから取り外す必要がなく、弁体５１ｂを押し上げるだけで貫通孔５４ｂを通じて容易に排水することができる。しかも、逆止弁本体部５２ｂは、排水通路３５ｂに螺入されているだけであるため、容易に排水通路３５ｂから取り外すこともでき、簡単に交換することができる。そのため、メンテナンス性の向上を図ることができる。尚、図９に示すように、弁体５１ｂの上端が排水通路３５ｂの上端よりも下側に位置していてもよい。
【００７３】
また、図１０に示すように、弁体５１ｃを押上げて開口させる弁体押し上げ部材６０と、この弁体押し上げ部材６０を保持する保持部材５６と、をさらに備え、押し上げ部材６０は、逆止弁本体部５２ｃの貫通孔５４ｃ内でその中心軸方向に沿って伸び、且つ中空筒状若しくは前記貫通孔の径よりも小さな径の中実棒状に形成され、その下端には貫通孔５４ｃよりも大きな突き上げ部６１を有し、保持部材５６は、押し上げ部材６０を貫通孔５４ｃ内で上下方向へ移動可能に保持する構成であってもよい。即ち、別途押し上げ棒材を準備することなく、逆止弁５０ｃと一体的に押し上げ部材６０を上下に移動可能に取り付けてもよい。尚、突き上げ部６１を押し上げた際に、貫通孔５４ｃを塞がないように、当該突き上げ部６１がドレンパン３０の下面又は逆止弁本体部５２ｃの下端と接触しないように、例えば、突起状のストッパーＳを設けてもよい。このようにストッパーＳを設けることで、突き上げ部６１を最も押し上げた際にも、当該突き上げ部６１とドレンパン３０の下面又は逆止弁本体部５２ｃの下端との間に間隙が形成され、この間隙から残留ドレンが排水できる。また、押し上げ部材６０を上下方向へ移動可能に保持する機構は、この図の機構に限定されるものではない。
【００７４】
かかる構成によれば、他に道具を必要とすることなく容易に弁体５１ｃを押し上げることができ、より容易に残留ドレンの排水が可能となる。また、押し上げ部材６０は、その下端に貫通孔５４ｃよりも大きな面積を有する突き上げ部６１を有している。そのため、ドレンパン３０が天井ように作業者から離れた位置に設けられたとしても押し上げ部材６０が押し易くなる。
【００７５】
また、図１１に示すように、逆止弁５０ｄは、弁体５１ｄが一枚の片５３ｄで構成されていてもよい。この片５３ｄは、弾性部材で構成されている。このように構成されていても、ドレン受け部３１に貯留したドレンによって押圧されることで逆止弁本体部５２ｄと密着して水密性を向上させる一方、上側へ押圧されることで開口する構成であればよい。従って、片５３ｄは、弾性部材でなくてもよく、その場合、簡単なヒンジ等で片５３ｄが開閉できればよい。
【図面の簡単な説明】
【００７６】
【図１】本実施形態に係る空調機用室内機の斜視図を示す。
【図２】同実施形態に係る空調機用室内機の縦断面図を示す。
【図３】同実施形態に係る空調機用室内機の化粧パネルを外した状体の斜視図を示す。
【図４】同実施形態に係る空調機用室内機のドレンパンの斜視図を示す。
【図５】同実施形態に係るドレンパンの集水部における一部拡大概略断面図を示す。
【図６】同実施形態に係る逆止弁における、（ａ）は斜視図を示し、（ｂ）はＡ−Ａ断面図を示し、（ｃ）はＢ−Ｂ断面図を示す。
【図７】同実施形態に係るドレンパンの集水部における排水作業を示す一部拡大概略断面図であって、（ａ）は貫通孔に挿入した押し上げ棒材の先端が弁体に当接した状態を示し、（ｂ）はさらに押し上げ棒材を押し上げた状態を示す。
【図８】他実施形態に係る逆止弁における、（ａ）は斜視図を示し、（ｂ）はＣ−Ｃ断面図を示す。
【図９】他実施形態に係るドレンパンの集水部における排水作業を示す一部拡大概略断面図であって、（ａ）は貫通孔に挿入した押し上げ棒材の先端が弁体に当接した状態を示し、（ｂ）はさらに押し上げ棒材を押し上げた状態を示す。
【図１０】他実施形態に係るドレンパンの集水部における排水作業を示す一部拡大概略断面図であって、（ａ）は押し上げ部材の通常の状態を示し、（ｂ）は押し上げ部材を押し上げた状態を示す。
【図１１】他実施形態に係るドレンパンの集水部における一部拡大概略断面図を示す。
【図１２】従来の空調機用室内機の縦断面図を示す。
【符号の説明】
【００７７】
１０   空調機用室内機
１３   熱交換器
３０   ドレンパン
３１   ドレン受け部
３５   排水通路
５０   逆止弁
５１   弁体
５２   逆止弁本体部
【図１】
2009019794.tif 000003
【図２】
2009019794.tif 000004
【図３】
2009019794.tif 000005
【図４】
2009019794.tif 000006
【図５】
2009019794.tif 000007
【図６】
2009019794.tif 000008
【図７】
2009019794.tif 000009
【図８】
2009019794.tif 000010
【図９】
2009019794.tif 000011
【図１０】
2009019794.tif 000012
【図１１】
2009019794.tif 000013
【図１２】
2009019794.tif 000014